(57)【要約】【課題】簡単な構成で風圧による左右風向変更羽根のがたつきを防止できる空気調和機を提供すること。【解決手段】本発明の空気調和機は、冷媒と熱交換された空気を吹き出す吹き出しグリル２と、吹き出しグリル２の横方向に一定間隔をおいて配置された左右風向変更羽根３と、左右風向変更羽根３を連結する連結桟４と、左右風向変更羽根３を揺動する駆動手段８と、駆動手段８と連結桟４とを結合するアーム５とを備え、アーム５に付勢力を与える付勢手段６をさらに備えたことにより、風圧による左右風向変更羽根のがたつきを防止することができる。【選択図】図４
2013137158.tif 000002
【特許請求の範囲】
【請求項１】
冷媒と熱交換された空気を吹き出す吹き出しグリルと、前記吹き出しグリルの横方向に一定間隔をおいて配置された左右風向変更羽根と、前記左右風向変更羽根を連結する連結桟と、前記左右風向変更羽根を揺動する駆動手段と、前記駆動手段と前記連結桟とを結合するアームとを備え、前記アームに付勢力を与える付勢手段をさらに備えたことを特徴とする空気調和機。
【発明の詳細な説明】
【技術分野】
【０００１】
本発明は、空気調和機の左右羽根の構成に関する。
【背景技術】
【０００２】
従来、空気調和機の左右風向変更羽根は、横方向に一定間隔をおいて配設され、これらの左右風向変更羽根が外部操作で同時に左右方向に連動して回動し得るようになっている。しかしながら、このような左右羽根の構成において、左右風向変更羽根が風圧を受けることによって、ステッピングモータのバックラッシュによるガタ分だけ角度がずれてしまうという課題がある。
【０００３】
このような課題に対して、ステッピングモータのバックラッシュのガタ分による角度ずれを防止するために、左右風向変更羽根の回転軸と吹き出しグリル本体の穴との摩擦によって、左右風向変更羽根を係止されるものが提案されている（例えば、特許文献１参照）。
【先行技術文献】
【特許文献】
【０００４】
【特許文献１】特開２０００−２７４７９９号公報
【発明の概要】
【発明が解決しようとする課題】
【０００５】
しかしながら、提案されている前述した構成では、左右風向変更羽根と吹き出しグリル本体との摩擦抵抗に頼っているので、組付け時に左右風向変更羽根の回転軸の抜き差しを繰り返すことや、回転軸が回転を繰り返す間に、摩擦抵抗が小さくなってしまい、風圧で容易に風向がずれてしまうという課題を有していた。
【０００６】
本発明は、前記従来の課題を解決するもので、簡単な構成で風圧による左右風向変更羽根のがたつきを防止できる空気調和機を提供することを目的とする。
【課題を解決するための手段】
【０００７】
前記従来の課題を解決するために、本発明の空気調和機は、冷媒と熱交換された空気を吹き出す吹き出しグリルと、吹き出しグリルの横方向に一定間隔をおいて配置された左右風向変更羽根と、左右風向変更羽根を連結する連結桟と、左右風向変更羽根を揺動する駆動手段と、駆動手段と連結桟とを結合するアームとを備え、アームに付勢力を与える付勢手段をさらに備えたことにより、風圧による左右風向変更羽根のがたつきを防止することができる。
【発明の効果】
【０００８】
本発明は、簡単な構成で風圧による左右風向変更羽根のがたつきを防止できる空気調和機を提供することができる。
【図面の簡単な説明】
【０００９】
【図１】本発明の実施の形態１における空気調和機の室内機の斜視図
【図２】同実施の形態１における空気調和機の室内機の要部拡大図
【図３】同実施の形態１における空気調和機の室内機の要部拡大図
【図４】同実施の形態１における空気調和機の室内機の要部拡大図
【発明を実施するための形態】
【００１０】
第１の発明の空気調和機は、冷媒と熱交換された空気を吹き出す吹き出しグリルと、吹き出しグリルの横方向に一定間隔をおいて配置された左右風向変更羽根と、左右風向変更羽根を連結する連結桟と、左右風向変更羽根を揺動する駆動手段と、駆動手段と連結桟とを結合するアームとを備え、アームに付勢力を与える付勢手段をさらに備えたことにより、風圧による左右風向変更羽根のがたつきを防止することができ、また、従来のように摩擦抵抗によるガタ補正手段では、部品同士の高い寸法精度を求めるが故に部品の寸法管理にコストがかかっていたが、高い寸法精度管理の必要がなくなる。
【００１１】
以下、本発明の実施の形態について、図面を参照しながら説明する。なお、この実施の形態によって本発明が限定されるものではない。
【００１２】
（実施の形態１）
図１は本実施の形態における空気調和機の室内機の外観斜視図、図２は同実施の形態１における空気調和機の室内機の要部拡大図、図３は左右羽根の要部拡大図、図４は左右羽根の駆動機構の要部拡大図である。なお、本実施の形態における空気調和機は、室内に配置される室内機と、室外に配置される室外機とで構成され、それらを冷媒配管で接続することによって構成されている。
【００１３】
図１に示すように、室内機１には、室内機１の内部に配置される室内熱交換器（図示せず）で冷媒と室内空気とが熱交換をし、熱交換された後の空気が、同じく室内機１の内部に配置される室内送風ファン（図示せず）を駆動させることによって、吹き出しグリル２から室内へ送り出される。
【００１４】
次に、左右風向変更羽根３の構成について説明する。本実施の形態における左右風向変更羽根３は吹き出しグリル２の左右両側に配置され、それぞれが独立して左右に揺動するように構成されている。本実施の形態では、室内機１を正面方向から見て左側に配置される左右風向変更羽根３の駆動について説明するが、同じような構成が右側に配置される左右風向変更羽根にも適用されている。
【００１５】
図２に示すように、吹き出しグリル２の長手方向に複数枚配置された左右風向変更羽根３は、一本の連結桟４によって接続されており、連結桟４によって結合された左右風向変更羽根は同時に同じ方向に駆動するように構成されている。
【００１６】
そして、吹き出しグリル２の端部にはモータ等で構成される駆動手段８を配置しており、駆動手段８と連結桟４とを接続するアーム５を備えている。そして駆動手段８を駆動することによって連結桟４が動くことになり、左右風向変更羽根３が揺動することになる。
【００１７】
例えば、駆動手段８をモータで構成した場合には、モータを回転することによって、モータの駆動軸に固定されているアーム５に駆動力を伝達し、さらに連結桟４に駆動力が伝達され、左右風向変更羽根３が揺動する。
【００１８】
このように構成された左右風向変更羽根３の駆動機構について、本実施の形態ではさらに付勢手段６を有している。本実施の形態の付勢手段６にはコイルバネが用いられており、図４の矢印で示すように一方向に力が常時付勢されている。
【００１９】
この付勢手段６を用いることによって、アーム５には常時力が付勢されているため、モータの出力軸に発生するバックラッシュのがたつきを無くすことができる。その結果、左右風向変更羽根３に風圧が掛かったときに発生するがたつきを防ぐことができる。
【００２０】
また、この付勢力としてのコイルバネの設計においては、左右風向板が風圧によって可変しない程度の最低トルクが必要であり、かつ、モータのトルク以下に設定しておく必要がある。
【００２１】
更にコイルバネを使用する場合には、バネを巻き込む角度に応じてトルクが高くなるため、最小トルクと最大トルクの両方が、風圧とモータのトルクを考慮した範囲内に設計しておくことが重要である。
【産業上の利用可能性】
【００２２】
本発明は、室内機が複数台あるようなマルチ型の空気調和機であっても適用することができる。
【符号の説明】
【００２３】
１  室内機
３  左右風向変更羽根
４  連結桟
５  アーム
６  付勢手段
８  駆動手段
【図１】
2013137158.tif 000003
【図２】
2013137158.tif 000004
【図３】
2013137158.tif 000005
【図４】
2013137158.tif 000006